(57)【要約】【課題】  本発明は表示装置において、発光素子へ供給する電流を、発光素子の劣化の程度に応じて補正し、発光素子ごとの劣化によって生じる表示ムラの低減された表示装置を提供することを課題とする。【解決手段】  本発明は、ビデオ信号の補正と異なり、発光素子の劣化に応じて、発光素子へ供給される電流値を補正することを特徴とする。少なくとも発光素子の劣化に基づく補正電流を供給する供給源と、供給源から発光素子へ補正電流を供給する電流源とを有する。またこの構成を有する表示装置において、供給源が有する第１の電流源により、同一信号線に接続された最も劣化が小さい発光素子の劣化に応じた補正電流が供給され、第２の電流源により、同一前記信号線に接続された最も劣化が大きい発光素子の劣化に応じた補正電流が供給されるように駆動する。【選択図】  図１
2005062859.tif 000002
【特許請求の範囲】
【請求項１】
発光素子の劣化に基づく補正電流を供給する供給源と、
前記供給源から前記発光素子へ前記補正電流を供給する電流源と、
を有することを特徴とする表示装置。
【請求項２】
信号線と、走査線との交差部に設けられた発光素子と
前記発光素子の劣化に基づく補正電流を供給する供給源と、
前記供給源から前記発光素子へ前記補正電流を供給する電流源と、を有し、
前記信号線と前記走査線とに接続される第１のスイッチと、
前記電流源と前記発光素子との間に設けられた第２のスイッチと、
を有することを特徴とする表示装置。
【請求項３】
発光素子の劣化に基づく補正電流を供給する供給源と、
前記供給源を制御する制御手段と、
前記供給源から前記発光素子へ前記補正電流を供給する電流源と、
を有することを特徴とする表示装置。
【請求項４】
信号線と、走査線との交差部に設けられた発光素子と
発光素子の劣化に基づく補正電流を供給する供給源と、
前記供給源を制御する制御手段と、
前記供給源から前記発光素子へ前記補正電流を供給する電流源と、を有し、
前記信号線と前記走査線とに接続される第１のスイッチと、
前記電流源と前記発光素子との間に設けられた第２のスイッチと、
を有することを特徴とする表示装置。
【請求項５】
発光素子の点灯時間を数える手段と、前記点灯時間と前記発光素子の劣化に基づき補正信号を設定する手段と、を備える計数手段と、
前記補正信号に基づき補正電流を供給する供給源と、
前記供給源へ入力される前記補正信号を制御する制御手段と、
前記供給源から前記発光素子へ前記補正電流を供給する電流源と、
を有することを特徴とする表示装置。
【請求項６】
信号線と、走査線との交差部に設けられた発光素子と、
前記発光素子の点灯時間を数える手段と、前記点灯時間と前記発光素子の劣化に基づき補正信号を設定する手段と、を備える計数手段と、
前記補正信号に基づき補正電流を供給する供給源と、
前記供給源へ入力される前記補正信号を制御する制御手段と、
前記供給源から前記発光素子へ前記補正電流を供給する電流源と、を有し、
前記信号線と前記走査線とに接続される第１のスイッチと、
前記電流源と前記発光素子との間に設けられた第２のスイッチと、
を有することを特徴とする表示装置。
【請求項７】
発光素子の劣化情報を記憶する記憶手段と、
前記発光素子の点灯時間を数える手段と、前記点灯時間と前記劣化情報に基づき補正信号を設定する手段と、を備える計数手段と、
前記補正信号に基づき補正電流を供給する供給源と、
前記供給源へ入力される前記補正信号を制御する制御手段と、
前記供給源から前記発光素子へ前記補正電流を供給する電流源と、
を有することを特徴とする表示装置。
【請求項８】
信号線と、走査線との交差部に設けられた発光素子と、
前記発光素子の劣化情報を記憶する記憶手段と、
前記発光素子の点灯時間を数える手段と、前記点灯時間と前記劣化情報に基づき補正信号を設定する手段と、を備える計数手段と、
前記補正信号に基づき補正電流を供給する供給源と、
前記供給源へ入力される前記補正信号を制御する制御手段と、
前記供給源から前記発光素子へ前記補正電流を供給する電流源と、
前記信号線と前記走査線とに接続される第１のスイッチと、
前記電流源と前記発光素子との間に設けられた第２のスイッチと、
を有することを特徴とする表示装置。
【請求項９】
請求項２、４、６及び８のいずれか一において、前記供給源は電流源を有し、前記電流源は前記信号線毎に設けられることを特徴とする表示装置。
【請求項１０】
請求項２、４、６及び８のいずれか一において、前記供給源は一対の第１の電流源及び第２の電流源を有し、前記一対の電流源は前記信号線毎に設けられることを特徴とする表示装置。
【請求項１１】
請求項１乃至１０のいずれか一において、前記補正電流を供給する電流源は、トランジスタ、及び前記トランジスタのゲート・ソース間電圧を保持する容量を有することを特徴とする表示装置。
【請求項１２】
請求項１乃至１１のいずれか一において、前記電流源と前記供給源は電流線を介して接続されることを特徴とする表示装置。
【請求項１３】
請求項３乃至１２のいずれか一において、前記制御手段はシフトレジスタ又はデコーダを有することを特徴とする表示装置。
【請求項１４】
請求項３乃至１３のいずれか一において、前記制御手段は前記シフトレジスタ又は前記デコーダと、第１のラッチ回路と、第２のラッチ回路とを有することを特徴とする表示装置。
【請求項１５】
請求項３乃至１４のいずれか一において、前記制御手段が有する電流源と、前記供給源が有する電流源とを共有することを特徴とする表示装置。
【請求項１６】
請求項４、６、８乃至１５のいずれか一において、前記制御手段が有するシフトレジスタ、及びラッチ回路と、前記信号線を駆動する信号線駆動回路が有するシフトレジスタ、及びラッチ回路と、を共有することを特徴とする表示装置。
【請求項１７】
発光素子の劣化情報を記憶する記憶手段と、
前記発光素子の点灯時間を数える手段と、前記点灯時間と前記劣化情報に基づき補正信号を設定する手段と、を備える計数手段と、を有することを特徴とする半導体集積回路。
【請求項１８】
請求項１７において、前記計数手段の発光素子の点灯時間を数える手段はカウンター回路を有することを特徴とする半導体集積回路。
【請求項１９】
請求項１７または１８において、前記記憶手段は不揮発性メモリを有し、前記不揮発性メモリは前記発光素子の劣化情報が記録されることを特徴とする半導体集積回路。
【請求項２０】
請求項１７乃至１９のいずれか一において、前記記憶手段は前記不揮発性メモリ及び揮発性メモリを有し、前記揮発性メモリは表示情報が記録されることを特徴とする半導体集積回路。
【請求項２１】
請求項１７乃至２０のいずれか一において、前記記憶手段と、前記計数手段とはシリコンウェハ上に設けられた半導体素子を有することを特徴とする半導体集積回路。
【請求項２２】
信号線と、走査線との交差部にそれぞれ発光素子が設けられた画素部と、
前記発光素子の劣化に基づく補正電流を供給し、前記信号線毎に設けられた第１の電流源及び第２の電流源を有する供給源と、
前記供給源から前記発光素子へ前記補正電流を供給する電流源と、
を有する表示装置の駆動方法は、
前記第１の電流源により、同一の前記信号線に接続された前記発光素子のうち最も劣化が小さい発光素子の劣化に応じた補正電流が供給され、
前記第２の電流源により、同一の前記信号線に接続された前記発光素子のうち最も劣化が大きい発光素子の劣化に応じた補正電流が供給されることを特徴とする表示装置の駆動方法。
【請求項２３】
信号線と、走査線との交差部にそれぞれ発光素子が設けられた画素部と、
前記発光素子の劣化に基づく補正電流を供給し、前記信号線毎に設けられた複数の電流源を有する供給源と、
前記供給源から前記発光素子へ前記補正電流を供給する電流源と、
を有する表示装置の駆動方法は、
同一の前記信号線に接続された前記発光素子のうち最も劣化が小さい発光素子に応じた第１の電流値と、最も劣化が大きい発光素子に応じた第２の電流値と、の間の電流値を分割して複数の電流値を決定し、前記複数の電流源により前記第１及び第２の電流値を含む複数の電流値を供給することを特徴とする表示装置の駆動方法。
【請求項２４】
請求項２３において、前記電流値を分割して決定される複数の電流値の数と、前記電流源との数は同一であることを特徴とする表示装置の駆動方法。
【請求項２５】
請求項２２乃至２４のいずれか一において、前記信号線へ入力されるビデオ信号を用いて前記発光素子の劣化を補正することを特徴とする表示装置の駆動方法。
【発明の詳細な説明】
【技術分野】
【０００１】
本発明は表示装置、特にアクティブマトリクス型に配置された自発光素子を有する表示装置及びその駆動方法に関する。また本発明は、表示装置に搭載される半導体集積回路に関する。
【背景技術】
【０００２】
近年、発光素子（自発光素子）を用いた表示装置の研究開発が進められている。このような表示装置は、高画質、薄型、軽量などの利点を生かして、携帯電話の表示画面やパーソナルコンピュータのモニターとして幅広く利用されている。特に、このような表示装置は動画表示に適した速い応答速度、低電圧、低消費電力駆動などの特徴を有しているため、新世代の携帯電話や携帯情報端末（ＰＤＡ）をはじめ、幅広い用途が見込まれている。
【０００３】
発光素子は有機発光ダイオード（Organic Light Emitting Diode : OLED）ともよばれ、陽極と、陰極と、前記陽極と前記陰極との間に、有機化合物や無機化合物を含み、陽極・陰極間に電界を印加すると発光する層（以下、電界発光層と表記する）を有している。この発光素子に流れる電流量と、発光素子の輝度は一定の関係があり、発光素子は電界発光層に流れる電流量に応じた輝度で発光を行っている。
【０００４】
ところで、発光素子を用いた表示装置に多階調の画像を表示するときの画素への信号の入力方法としては、アナログ階調方式（アナログ駆動方式）とデジタル階調方式（デジタル駆動方式）が挙げられる。両方式の相違点は、発光素子の発光、非発光のそれぞれの状態において該発光素子を制御する方法にある。
【０００５】
アナログ階調方式は、発光素子に流れる電流を制御して階調を得るという方式である。またデジタル階調方式は、発光素子がオン状態（輝度がほぼ１００％である状態）と、オフ状態（輝度がほぼ０％である状態）の２つの状態のみによって駆動するという方式である。しかしデジタル階調方式は、このままでは２階調しか表示出来ないため、他の方式、例えば時間階調方式や面積階調方式と組み合わせて多階調の画像を表示する駆動方法が提案されている。例えば時間階調表示とは、１フレームをいくつかのサブフレームに分け、それぞれの発光時間に重みをつけ、その選択によって階調表示を行うものである。また面積階調方式とは、画素内にサブ画素を設け、その発光面積に重みを付けて、その選択により階調表示を行う方法である。
【０００６】
発光素子を用いた表示装置に多階調の画像を表示するときの駆動方法としては、大別して電圧入力方法と電流入力方法が挙げられる。この電圧入力方式と電流入力方式は、前述したアナログ階調方式及びデジタル階調方式の両方が適用される。
【０００７】
電圧入力方法は、電圧値を有するビデオ信号を画素に入力し、画素が有する駆動用素子のゲート電極に入力して、該駆動用素子を用いて発光素子の輝度を制御する方式である。この場合、アナログ階調を適応すると、ＴＦＴのばらつきの影響を受けやすい。
【０００８】
また電流入力方法は、設定された信号電流を画素の駆動用素子に供給し、該駆動用素子から信号電流を発光素子に流すことにより、該発光素子の輝度を制御する方式である。電流入力方式の場合、発光素子へ流れる電流の値により多階調を表示する。このように信号として電流で入力するため、書き込み時間が長くなってしまう。
【０００９】
以上のような表示装置が有する発光素子の輝度は、以下に示すように経時的に劣化（以下、経時劣化と表記する）してしまう。図１５（Ａ）に示す発光素子への電流に対する、発光素子へ印加する電圧とのグラフをみると、ある電圧Ｖ０を印加すると電流Ｉａで所定の発光輝度が得られていたにもかかわらず、経時劣化により、電圧Ｖ０を印加しても電流Ｉｂしか発光素子へ流れないため、所定の輝度が得られなくなってしまった。
【００１０】
図１５（Ｂ）に示す発光素子の電流輝度特性のグラフからもわかるように、ある発光素子は電流値Ｉ０で輝度Ｌａを得られたが、時間が経つにつれ輝度Ｌｂへ低下している。
【００１１】
これらは電圧や電流を流すことで発光素子が発熱し、電界発光層の膜質が劣化したり、電界発光層と電極間との界面で劣化が生じるためであると考えられる。さらに発光素子の劣化状態は、各発光素子で異なるため焼きつきが生じてしまう。
【００１２】
そこで電圧入力方式の場合、自発光素子の劣化の程度に合わせてあらかじめ格納されている補正データに基づいて映像信号（ビデオ信号）を補正し、輝度ムラのない均一な画面を得ることのできる表示装置が提案されている（特許文献１参照）。詳しく説明すると、時間階調方式により多階調表示する場合であって、サブフレーム１ｂｉｔ分をビデオ信号の補正用に使用している。例えば６ビットデジタル階調使用の自表示装置の場合、補正を行うための上乗せ用として１ビット分の処理能力を追加し、７ビットデジタル階調として設計、作製する。そして通常の動作においては下位６ビットを使用しておき、発光素子に劣化が生じた場合には、通常のデジタル映像信号に補正値を加算し、その加算分の信号処理は、上乗せ用の１ビットを用いて行っている。
【００１３】
また図１８に示すように、電圧入力方式と電流入力方式とが組み合わされたような方式もある。この方式では発光表示装置が有する各画素に、ゲートを短絡した電流能力比を持つ複数のトランジスタＰｃｈＴＦＴ１〜３を備える。そして複数のトランジスタ各々の電流供給能力は任意の電流値に比例するような状態を記憶した後に、発光素子に電流を供給するか否かを複数のトランジスタのドレインと発光素子の間のスイッチＳＷ１Ａ〜ＳＷ３Ａをデジタル階調データＤ０〜Ｄ２に従って、オン・オフ制御することで、隣接領域にあるトランジスタの特性ばらつきにしか影響されないような高精度の電流を発光素子に供給する（特許文献２参照）。
【特許文献１】特開２００２−１７５０４１号公報
【特許文献２】特開２００３−６６９０９号公報
【発明の開示】
【発明が解決しようとする課題】
【００１４】
このように表示装置では、発光素子ごとに劣化の程度が異なってしまう。その結果、画素全体を同じ輝度で発光させたい場合であっても、劣化の進んだ画素がばらついて発生し、この劣化の進んだ画素と、劣化していない又は劣化の少ない画素とが隣り合うとき、劣化の進んだ画素の方が暗く見えてしまう焼きつきが生じる。この焼きつきの結果、表示装置の表示ムラが生じてしまう。
【００１５】
特許文献１に記載の電圧入力方式を用いた表示装置はビデオ信号を補正しているため、補正後のビデオ信号の大きさ、つまり点灯時間の長さが最大値になると、それ以上、点灯時間を長くすることができない、すなわちビデオ信号を大きくすることができなかった。またさらに、本来の階調表現能力よりも、実際の表示上での階調表現能力が劣ってしまった。すなわち上述したように、７ビットの階調を表現できるパネルにおいて、１ビット分を補正用に用いるため、６ビット分の表示しかできなかった。
【００１６】
また上述したように、アナログ階調を適応した電圧入力方式の場合、ＴＦＴのばらつきの影響を受けやすかった。また電流入力方式では、信号電流の書き込み時間が長くなってしまった。
【００１７】
また特許文献１に記載の補正方法を、特許文献２に記載の画素構成に組み合わせる場合であっても、デジタル階調データＤ０〜Ｄ２に対して補正することとなり、前段落の問題は解消できない。すなわち、例えばデジタル階調データＤ０〜Ｄ２のうち、一つを補正用に使用するため、３ビットの階調を表現できるパネルにおいて、１ビット分を補正用に用いるため、２ビット分の階調しか表示できず、本来の階調表現能力よりも実際の表示上での階調表現能力が劣ってしまう。
【００１８】
そこで本発明は表示装置において、発光素子へ供給する電流を、発光素子の劣化の程度に応じて補正し、発光素子ごとの劣化によって生じる表示ムラの低減された表示装置を提供することを課題とする。さらに本発明は、ＴＦＴのばらつきの影響を受けず、信号の書き込み時間が短いことを特徴とする表示装置を提供することを課題とする。
【課題を解決するための手段】
【００１９】
上記課題を鑑み本発明は、ビデオ信号の補正と異なり、発光素子の劣化に応じて、発光素子へ供給される電流値を補正することを特徴とする。
【００２０】
上記を達成するため本発明の一態様は、少なくとも発光素子の劣化に基づく補正電流を供給する供給源と、供給源から発光素子へ補正電流を供給する電流源と、を有することを特徴とする表示装置である。
【００２１】
また本発明の別の一態様は、少なくとも信号線と、走査線との交差部に設けられた発光素子と、発光素子の劣化に基づく補正電流を供給する供給源と、供給源から発光素子へ補正電流を供給する電流源と、を有し、信号線と走査線とに接続される第１のスイッチと、電流源と発光素子との間に設けられた第２のスイッチと、を有することを特徴とする表示装置である。
【００２２】
また本発明の別の一態様は、少なくとも発光素子の劣化に基づく補正電流を供給する供給源と、供給源を制御する制御手段と、供給源から発光素子へ補正電流を供給する電流源と、を有することを特徴とする表示装置である。
【００２３】
また本発明の別の一態様は、少なくとも信号線と、走査線との交差部に設けられた発光素子と、発光素子の劣化に基づく補正電流を供給する供給源と、供給源を制御する制御手段と、供給源から発光素子へ補正電流を供給する電流源と、を有し、信号線と走査線とに接続される第１のスイッチと、電流源と発光素子との間に設けられた第２のスイッチと、を有することを特徴とする表示装置である。
【００２４】
また本発明の別の一態様は、少なくとも発光素子の点灯時間を数える手段と、点灯時間と発光素子の劣化に基づき補正信号を設定する手段と、を備える計数手段と、補正信号に基づき補正電流を供給する供給源と、供給源へ入力される補正信号を制御する制御手段と、供給源から発光素子へ補正電流を供給する電流源と、を有することを特徴とする表示装置である。
【００２５】
また本発明の別の一態様は、少なくとも信号線と、走査線との交差部に設けられた発光素子と、発光素子の点灯時間を数える手段と、点灯時間と発光素子の劣化に基づき補正信号を設定する手段と、を備える計数手段と、補正信号に基づき補正電流を供給する供給源と、供給源へ入力される補正信号を制御する制御手段と、供給源から発光素子へ補正電流を供給する電流源と、を有し、信号線と走査線とに接続される第１のスイッチと、電流源と発光素子との間に設けられた第２のスイッチと、を有することを特徴とする表示装置である。
【００２６】
また本発明の別の一態様は、少なくとも発光素子の劣化情報を記憶する記憶手段と、発光素子の点灯時間を数える手段と、点灯時間と劣化情報に基づき補正信号を設定する手段と、を備える計数手段と、補正信号に基づき補正電流を供給する供給源と、供給源へ入力される補正信号を制御する制御手段と、供給源から発光素子へ補正電流を供給する電流源と、を有することを特徴とする表示装置である。
【００２７】
また本発明の別の一態様は、少なくとも信号線と、走査線との交差部に設けられた発光素子と、発光素子の劣化情報を記憶する記憶手段と、発光素子の点灯時間を数える手段と、点灯時間と劣化情報に基づき補正信号を設定する手段と、を備える計数手段と、補正信号に基づき補正電流を供給する供給源と、供給源へ入力される補正信号を制御する制御手段と、供給源から発光素子へ補正電流を供給する電流源と、信号線と走査線とに接続される第１のスイッチと、電流源と発光素子との間に設けられた第２のスイッチと、を有することを特徴とする表示装置である。
【００２８】
また本発明において、供給源は電流源を有し、電流源は信号線毎に設けられる。
【００２９】
また本発明において、供給源は一対の第１の電流源及び第２の電流源を有し、一対の電流源は信号線毎に設けられる。
【００３０】
また本発明において、補正電流を供給する電流源は、トランジスタ、及びトランジスタのゲート・ソース間電圧を保持する容量を有する。
【００３１】
また本発明において、電流源と供給源は電流線を介して接続される。
【００３２】
また本発明において、制御手段はシフトレジスタ又はデコーダを有する。
【００３３】
また本発明において、制御手段はシフトレジスタ又はデコーダと、第１のラッチ回路と、第２のラッチ回路とを有する。
【００３４】
また本発明において、制御手段が有する電流源と、供給源が有する電流源とを共有することができる。
【００３５】
また本発明において、制御手段が有するシフトレジスタ、及びラッチ回路と、信号線を駆動する信号線駆動回路が有するシフトレジスタ、及びラッチ回路と、を共有することができる。
【００３６】
また本発明の別の一態様は、発光素子の劣化情報を記憶し、それに応じた補正信号を算出する半導体集積回路を有することを特徴とする。
【００３７】
本発明の半導体集積回路の一態様は、発光素子の劣化情報を記憶する記憶手段と、発光素子の点灯時間を数える手段と、点灯時間と劣化情報に基づき補正信号を設定する手段と、を備える計数手段と、を有する。
【００３８】
また本発明の半導体集積回路において、計数手段の発光素子の点灯時間を数える手段はカウンター回路を有する。
【００３９】
また本発明の半導体集積回路において、記憶手段は不揮発性メモリを有し、不揮発性メモリは発光素子の劣化情報が記録される。
【００４０】
また本発明の半導体集積回路において、記憶手段は不揮発性メモリ及び揮発性メモリを有し、揮発性メモリは表示情報が記録される。
【００４１】
また本発明の半導体集積回路が有する記憶手段と、計数手段とはシリコンウェハ上に設けられた半導体素子を有する。
【００４２】
また上記の構成を有する表示装置において、第１の電流源により、同一の信号線に接続された発光素子のうち最も劣化が小さい発光素子の劣化に応じた補正電流が供給され、第２の電流源により、同一の信号線に接続された発光素子のうち最も劣化が大きい発光素子の劣化に応じた補正電流が供給されるように駆動することができる。
【００４３】
また上記の構成を有する表示装置において、同一の信号線に接続された発光素子のうち最も劣化が小さい発光素子に応じた第１の電流値と、最も劣化が大きい発光素子に応じた第２の電流値と、の間の電流値を分割して複数の電流値を決定し、複数の電流源により第１及び第２の電流値を含む複数の電流値を供給するように駆動することができる。
【００４４】
このような駆動方法において、電流値を分割して決定される複数の電流値の数と、電流源との数は同一である。また、信号線へ入力されるビデオ信号を用いて発光素子の劣化を補正することができる。
【００４５】
また本発明の一態様は、デジタルのビデオ信号を用いてスイッチ部を駆動し、発光素子に所定な信号電流を流すか流さないかを選択して、発光状態・非発光状態を切り変えるデジタル方式を用い、さらに時間階調により多階調表現を行うことを特徴とする。
【００４６】
なお本発明において、供給源から発光素子へ補正電流を供給する電流源、つまり発光素子と接続される電流源は一つ又は複数個設けることができる。
【００４７】
本発明において、適用可能なトランジスタの種類に限定はなく、非晶質シリコンや多結晶シリコンに代表される非単結晶半導体膜を用いた薄膜トランジスタ（以下、ＴＦＴとも表記する）、半導体基板やＳＯＩ基板を用いて形成されるＭＯＳ型トランジスタ、接合型トランジスタ、有機半導体やカーボンナノチューブを用いたトランジスタ、その他のトランジスタを適用することができる。また、トランジスタが配置されている基板の種類に限定はなく、単結晶基板、ＳＯＩ基板、ガラス基板などに配置することができる。
【００４８】
以上、発光素子を有する表示装置について説明したが、本発明の適応範囲は広く、ある負荷の変化（劣化等）に応じて補正された電流値を、当該負荷へ供給することができる場合に適応することが可能である。
【発明の効果】
【００４９】
本発明により、発光素子の経時変化に伴い、当該発光素子へ供給する信号電流を補正することができ、焼きつきによる表示ムラを低減することができる。また本発明により、発光素子の劣化に応じた信号電流を設定することにより、発光素子の劣化に伴う輝度低下を防ぐことができ、画像表示の品位の低下を防止することができる。
【００５０】
また本発明の画素構成により、駆動用電流源のばらつき影響を低減した表示装置を提供することができる。
【００５１】
さらに本発明により、各発光素子の劣化に応じて補正された信号電流を設定することができる。そのため、最も劣化した発光素子に応じて信号電流を補正する場合と比べて、高精度に発光素子を駆動することができ、さらに消費電力を抑えることができる。
【発明を実施するための最良の形態】
【００５２】
以下に、本発明の実施の形態を図面に基づいて説明する。但し、本発 明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００５３】
（実施の形態１）
本実施の形態では、本発明の表示装置の機能、及び構成について説明する。
【００５４】
図１（Ａ）に示すように本発明の表示装置、特に画素は、発光素子１１と、スイッチ（ＳＷ）１２を介して発光素子１１と接続される電流源（以下、駆動用電流源と表記する）１３を有する。スイッチ１２は、発光素子１１に電流源からの一定電流を流すか流さないかをビデオ信号１８に基づき選択して、発光状態・非発光状態を切り変える機能を有する。また駆動用電流源１３は電源線２０と接続され、ビデオ信号１８とは異なる信号（以下、制御信号という）１９により制御されている。なお、発光素子１１と駆動用電流源１３との間にはスイッチ１２以外のものが設けられていてもよい。すなわち、発光素子１１と駆動用電流源１３とは電気的に接続されていればよい。
【００５５】
駆動用電流源１３には、制御信号１９が入力される。その結果、駆動用電流源１３は、電流源を構成するトランジスタの電流特性のばらつきの影響を受けることなく、一定の電流を流すことが出来る。駆動用電流源１３が流す電流の大きさは、制御信号１９によって設定される。本発明では、駆動用電流源１３が流す電流（信号電流とも表記する）の大きさは、発光素子１１の劣化具合に応じた大きさになっている。つまり、制御信号１９によって設定される電流の大きさは、発光素子１１の劣化具合に応じた大きさになっている。すなわち、駆動用電流源１３は、発光素子の劣化に応じて補正された大きさの電流を流すことが出来る。例えば、発光素子１１の劣化がひどい場合は、制御信号１９によって設定される電流の大きさは大きくなる。その結果、駆動用電流源１３が発光素子１１に流す電流の大きさは、大きくなっている。したがって、結果として、発光素子１１の輝度の低下を抑えることが出来る。一方、発光素子１１の劣化が軽い場合は、制御信号１９によって設定される電流の大きさは、それほど大きくならない。その結果、駆動用電流源１３が発光素子１１に流す電流の大きさも、それほど大きくならない。したがって、結果として、発光素子１１の輝度の低下を抑えることが出来る。このように、駆動用電流源１３が流す電流の大きさは、発光素子１１の劣化に合わせて設定されるため、発光素子１１の劣化を露見しにくくし、焼きつきなどを防止することが出来る。
【００５６】
また図１（Ｂ）に示すように本発明の表示装置、特に画素において、複数の駆動用電流源１３ａ〜１３ｃを設けてもよい。この場合、複数の駆動用電流源１３ａ〜１３ｃを制御する複数の制御信号１９、複数の駆動用電流源１３ａ〜１３ｃに応じて、複数のスイッチＳＷ１２ａ〜ＳＷ１２ｃを設け、複数のスイッチへ複数のビデオ信号１８を供給する。
【００５７】
このように複数の駆動用電流源１３ａ〜１３ｃを用いる場合、それに応じたｂｉｔ数の階調表示を行うことができる。例えば、一つの駆動用電流源から電流I1＝２×I0を供給し、他の駆動用電流源からI1＝４×I0を供給することができる。
【００５８】
また図１（Ａ）（Ｂ）に示す本発明の画素を有する表示装置の構成は図１（Ｃ）に示すように、発光素子１１と、スイッチ１２と、駆動用電流源１３とを有する画素１０と、駆動用電流源１３に、発光素子の劣化に応じた信号電流を設定する信号供給源１４と、信号供給源１４を制御する制御手段１５と、発光素子の劣化の情報が記録される記憶手段１６と、発光素子の劣化状態を計測する計数手段１７と、を有する。
【００５９】
なお本発明において、記憶手段や信号供給源が有する電流源は、各画素に設けても構わない。
【００６０】
図１（Ｃ）において、記憶手段１６及び計数手段１７とにより、発光素子の劣化状態、及び劣化状態に応じて補正すべき信号電流の値等の補正に関する情報が信号（以下、補正信号と表記する）として作成される。そして、補正信号は制御手段１５に入力され、制御手段１５により信号供給源１４に電流を設定する。そして、信号供給源１４の電流値に基づいて駆動用電流源１３に、電流が設定される。その結果、駆動用電流源１３から、補正された信号電流が発光素子１１へ供給される。
【００６１】
本発明において、駆動用電流源を、所定の信号電流を供給する能力を有するように設定することを、信号電流の設定といい、特に各画素の発光素子の劣化状態に応じて補正された信号電流を供給するように設定することを補正された信号電流の設定という。
【００６２】
なお信号供給源は、補正信号に基づき補正された信号電流の設定を各画素の駆動用電流源に対して行う機能を有していればよく、例えば電流源を有する。また、当該電流源は、信号線ごとに接続されていると好ましい。またさらに当該電流源は、信号線ごとに複数接続されていてもよい。このとき、一方の電流源をリファレンス用電流源、他方の電流源を補正用電流源と表記し、補正の仕方によりリファレンス用電流源と、補正用電流源との表記を分ける。
【００６３】
また制御手段は、記憶手段１６と、計数手段１７とから作成される補正信号が入力され、補正信号に基づき信号供給源に対して電流を設定する機能を有すればよく、例えば、シフトレジスタやラッチ回路を有している。
【００６４】
さらに、信号電流源が有する電流源と、ラッチ回路が有する電流源とを共有することができる。その結果、駆動回路部の専有面積を低減することができ、狭額縁化を達成できる。
【００６５】
また信号線駆動回路において、一列の発光素子へ一斉にビデオ信号が入力される線順次駆動の場合には、ラッチ回路とシフトレジスタとを有し、発光素子ごとにビデオ信号が入力される点順次駆動の場合には、シフトレジスタを有すればよい。
【００６６】
記憶手段は、少なくとも記憶を保持するような手段、例えば不揮発性メモリや磁気メモリを有していればよく、発光素子の劣化情報（劣化データ）を不揮発性メモリ等に記録しておく。さらに揮発性メモリ等を有し、表示情報を記録しておく。劣化データには、発光素子において、一定輝度を得るための電流値の変化が記録された基礎データと、経時的な発光素子の劣化が保存されていく蓄積データとがある。
【００６７】
基礎データは、事前に、テスト用の一つ発光素子を駆動し、経時劣化を測定したものである。例えば、図１１に示すように、電流源９０と発光素子９１とを備えたテスト用の素子を用いてエージングを行い、当該発光素子において、発光素子が一定の輝度を得るための電流、すなわち経時劣化に応じた電流を不揮発性メモリ９２に記録する。
【００６８】
蓄積データは、実際の表示装置において、各発光素子の経時劣化を測定して逐次得ることができる。例えば、計数手段が有するカウンター回路により、発光素子の点灯時間（発光素子が実際に点灯している時間）をビデオ信号から計測する。そして、基礎データを参照し、当該発光素子の点灯時間に基づき、発光素子の劣化を見積もり、その劣化を蓄積しているものである。
【００６９】
このような基礎データと蓄積データとから、発光素子の劣化を把握し、計数手段により信号電流をどの程度補正するかの信号、つまり補正信号が決定される。例えば、記憶手段に基づき、計数手段により発光素子の点灯時間に見合う補正信号を決定し、制御手段へ入力する。また同時に、補正された補正信号電流は蓄積データへ保存される。
【００７０】
なお本発明の表示装置の上記手段が有する電流源や回路をトランジスタ、具体的にはＮ型又はＰ型の極性を有する薄膜トランジスタで形成することができる。さらに多結晶半導体膜を有する薄膜トランジスタで形成する場合、画素、信号供給源及び制御手段までを同一基板上に一体形成することができる。もちろん画素及び信号供給源と、制御手段と、又は画素と、信号供給源及び制御手段とのように、それぞれ別基板に形成しても構わない。
【００７１】
また計数手段と記憶手段とは、画素部と別途形成し、例えばシリコンウェハに設けられた半導体素子（トランジスタ）を用いても構わない。このように別途形成した計数手段及び記憶手段と、画素、信号供給源及び制御手段とを、異方導電性フィルム（ＡＣＦ：Anisotropic Conductive Film）又はフレキシブルプリント基板（ＦＰＣ：Flexible printed circuit）により接続すればよい。
【００７２】
本発明により、発光素子の経時変化に伴い、当該発光素子へ供給する信号電流を補正することができ、焼きつきによる表示ムラを低減することができる。またさらに、本発明の画素構成において、発光素子が一定輝度を発するように信号電流の設定を行うため、駆動用電流源、具体的には電流源を構成するトランジスタのばらつきの影響を低減した表示装置を提供することができる。
【００７３】
（実施の形態２）
本実施の形態では具体的な本発明の画素構成を、図２を用いて説明する。
【００７４】
図２（Ａ）に示すように、画素は少なくとも、発光素子１１と、破線で囲まれた領域に設けられているスイッチ（ＳＷ）１２、駆動用電流源１３、容量素子３２、駆動用電流源、及び発光素子１１との間に設けられたスイッチ（ＳＷ）３４と、を有する。そして、スイッチ１２は信号線３６及び走査線３７に接続され、駆動用電流源と容量素子３２とは電源線２０に接続されている。また駆動用電流源へ、信号供給源である信号供給用電流源４０からの信号が電流線３９を介して入力されている。そして上述したように、制御手段により信号供給用電流源４０は制御されている。また駆動用電流源にはスイッチ３４を制御するための信号が入力される。
【００７５】
また図２（Ｂ）に示すように複数の駆動用電流源１３ａ、１３ｂを設けてもよい。この場合、複数の駆動用電流源１３ａ、１３ｂを制御する複数の制御信号、つまり複数の信号供給用電流源４０ａ、４０ｂ、それらに接続される複数の電流線３９ａ、３９ｂを有し、複数の駆動用電流源１３ａ、１３ｂと発光素子１１との間には、発光素子１１へ電流を供給するか否かを制御する複数のスイッチＳＷ３４ａ、ＳＷ３４ｂがそれぞれ設けられている。また複数の駆動用電流源１３に応じて、複数のスイッチＳＷ１２ａ、ＳＷ１２ｂ、複数のスイッチへ供給される複数のビデオ信号を供給する信号線３６ａ、３６ｂが設けられ、複数のスイッチＳＷ１２ａ、ＳＷ１２ｂと電源線との間には、複数の容量素子３２ａ、３２ｂがそれぞれ設けられている。
【００７６】
このように複数の駆動用電流源を用いる場合、それに応じたｂｉｔ数の階調表示を行うことができる。
【００７７】
次に駆動用電流源１３の具体的な構成を例示し、本発明の画素構成について説明する。
【００７８】
図３（Ａ）には、信号線３６と、走査線３７には、スイッチ３１として機能するトランジスタ７０が接続されている。またスイッチ３４として機能するトランジスタ７１が設けられ、容量素子３２がトランジスタ７１のゲート電極と電源線３８との間に設けられている。発光素子３５は、トランジスタ７１の一方の電極と接続されている。そして破線で囲まれた駆動用電流源１３には、スイッチとして機能するｐチャネル型トランジスタ７２が設けられており、当該トランジスタ７２の一方の電極にはｐチャネル型トランジスタ７３と、ｎチャネル型トランジスタ７５が設けられている。またトランジスタ７２のゲート電極は第１の制御線７７に接続されている。トランジスタ７３のゲート・ソース間電圧を保持するための容量素子５１が設けられている。トランジスタ７３のゲート電極に接続される、ｎチャネル型トランジスタ７４の一方の電極は電流線３９に接続されている。ｎチャネル型トランジスタ７４、７５のゲート線は第２の制御線７８に接続されている。
【００７９】
次に、このような画素構成の動作について説明する。
【００８０】
まず、信号供給源として機能する電流源は、補正された信号電流が流れるように設定されている。そしてトランジスタ７４、７５が第２の制御線７８により選択され、オンとなる。すると、電源線３８からｐチャネル型トランジスタ７３と、ｎチャネル型トランジスタ７５とに電流が流れ、また容量素子５１と、ｎチャネル型トランジスタ７４とに電流が流れる。この電流の合計は、信号供給源が有する電流源と等しい電流量となる。そして、トランジスタ７３が、補正された信号電流を流すのに必要なゲート・ソース間電圧となるまで、容量素子５１へ電荷が蓄積される。その結果、トランジスタ７３は、信号供給源の電流源から補正された信号電流を流す機能を有するようになる。
【００８１】
なお、トランジスタ７３と、信号供給源の電流源を流れる電流とは必ずしも等しい電流を流すように設定する必要はない。例えば、比例関係を有していればよい。すなわち、カレントミラー構成にして、トランジスタ７３のＬ／Ｗと、信号供給源の電流源を構成するトランジスタとのＬ／Ｗ比とを変えることにより、トランジスタ７３が流す必要のある電流量を変えることができる。
【００８２】
その後、トランジスタ７４、７５をオフとし、トランジスタ７２をオンとする信号を入力する。このような状況において、信号線３６からトランジスタ７０を介して容量素子３２にビデオ信号が入力される。そしてトランジスタ７１をオンとする信号が入力される場合は、トランジスタ７３から発光素子３５へ補正された信号電流が供給される。
【００８３】
次いで、図３（Ｂ）には、駆動用電流源１３として機能するトランジスタ（図３（Ａ）中のトランジスタ７３）の極性をｎチャネル型とする例を示す。電流源として機能するｎチャネル型のトランジスタ８１と、該トランジスタ８１の一方の電極に接続された電源線３８と、トランジスタ８１のゲート・ソース間電圧を保持する容量素子５１とを有する。トランジスタ８１の他方の電極にはｐチャネル型のトランジスタ８２と、トランジスタ８３が設けられている。またトランジスタ８１のゲート電極に一方の電極が接続されるｎチャネル型トランジスタ８４を有し、トランジスタ８４の他方の電極は電流線３９に接続されている。そしてトランジスタ８２、８３、８４のゲート電極は、第１の制御線７７に接続されている。なおその他の構成は図３（Ａ）と同様であるため、ここでの説明は省略する。本構成では、第２の制御線が必要とならない。また前述の駆動用電流源１３として機能するトランジスタをｐチャネル型とする場合でも、他のトランジスタの極性や接続関係を変えることにより、第２の制御線を必要としない構成とすることができる。
【００８４】
次に、図３（Ｂ）に示す画素構成の動作について説明する。
【００８５】
まず、トランジスタ８３、８４をオンする信号が第１の制御線７７から入力され、極性の異なるトランジスタ８２はオフとなる。すると、電源線３８から電流が供給され、トランジスタ８１、容量素子５１、トランジスタ８３を介して電流線３９に接続されている信号供給源の電流源へ電流が流れる。このとき、信号供給源の電流源は、補正された信号電流が流れる能力を有するように設定されており、容量素子５１は補正された信号電流と等しい電荷が保持される。なお容量素子５１に蓄積されている電荷は、トランジスタ８１のゲート・ソース間電圧と等しくなるまで蓄積される。その結果、トランジスタ８１は、補正された信号電流を供給する能力を有するようになる。
【００８６】
その後、トランジスタ８２をオンする信号が第１の制御線から入力され、極性の異なるトランジスタ８３、８４はオフする。このような状況において、信号線３６からトランジスタ７０を介して容量素子３２にビデオ信号が入力される。そして、トランジスタ７１をオンとする信号が入力される場合は、トランジスタ８１から補正された信号電流が発光素子３５へ入力される。
【００８７】
以上、駆動用電流源１３をｐチャネル型又はｎチャネル型トランジスタにより作製する場合を説明したが、本発明の駆動用電流源１３はトランジスタの極性に限定されない。そして図３においてトランジスタの極性を変える場合は、容量素子やスイッチとして機能するトランジスタの配置を考慮して、適宜設計する必要がある。すなわち、容量素子は電流源として機能するトランジスタのゲート・ソース間電圧を保持するように配置すればよい。なおこのとき、容量素子がゲート・ソース間電圧を保持するため、トランジスタのゲート・ソース間に容量素子を配置すると好ましい。またスイッチはオン・オフが制御できるように配置すればよく、複数のスイッチを配置してもよい。
【００８８】
以上のような画素、特に駆動用電流源１３のその他の構成は、特願２００２−１４３８８２、特願２００２−１４３８８５、特願２００２−１４３８８６、特願２００２−１４３８８７、特願２００２−１４３８８８等に記載のものを適応することも可能である。
【００８９】
また図１６に示すように、画素内に記憶手段１６、補正用電流源２５を有してもよい。なお図１６は、図２に示すＳＷ１２、ＳＷ３４、容量素子３２、駆動用電流源１３を有する点線で囲まれた領域に相当する領域を拡大して示している。具体的な補正用電流源２５は、複数の電流源２５ａ〜２５ｃを有し、各電流源に接続された複数のスイッチＳＷ２６ａ〜２６ｃを有する。そして補正用電流源２５は、駆動用電流源１３と接続し、さらに駆動用電流源１３、及び補正用電流源２５はＳＷ３４を介して発光素子１１に接続される。
【００９０】
このような画素において、記憶手段１６に記憶されていく発光素子の劣化状態に基づき、補正用電流源２５により、補正された信号電流が形成される。補正された信号電流に基づき、駆動用電流源１３へ補正された信号電流の設定が行われる。その後ＳＷ３４がオンとなると、該補正された信号電流が発光素子１１へ供給される。
【００９１】
このような本発明の画素構成により、発光素子の劣化に応じて補正された信号電流を発光素子へ供給することができる。その結果、発光素子の劣化が原因となる焼きつきの低減された表示装置を提供することができる。
【００９２】
（実施の形態３）
なお発光素子の劣化に基づき、信号電流を補正する方法は、さまざまな場合が考えられる。すなわち本発明は、発光素子、つまり負荷の劣化に応じて発光素子（負荷）に流れる電流値を補正することを特徴としており、どのように電流値の補正を行うか等の方法は、あらゆる方法を用いることができる。
【００９３】
そこで本実施の形態では、二つの電流源を用いて、発光素子へ供給する信号電流を補正する方法を例示する。なお本発明において、信号電流を補正する電流源は単数でも複数でもよい。
【００９４】
図１２（Ａ）には、補正された信号電流を駆動用電流源に出力する第１の電流源２１及び第２の電流源２２を示す。それぞれ、第１の電流源をリファレンス用電流源とし、第２の電流源を補正用電流源とする。第１及び第２の電流源は、同一の電流線に接続されている。そして、その電流線は画素、すなわち駆動用電流源１３と接続している。
【００９５】
また図１２（Ｂ）に示すように、第２の電流源２２に複数の電流源２４ａ〜２４ｃを設けてもよい。この場合、複数の電流源２４ａ〜２４ｃに応じて複数のスイッチＳＷａ〜ＳＷｃを設け、それらを制御する。
【００９６】
このように複数の電流源を用いて第２の電流源２２を構成する場合、スイッチＳＷａ〜ＳＷｃを制御することにより、各電流源２４ａ〜２４ｃに応じた電流を電流線へ供給することができる。
【００９７】
以上のような、リファレンス用電流源及び補正用電流源とを用いて、信号電流の大きさの補正方法を、図１３、図１４に示す発光素子の劣化を表す劣化線を用いて具体的に説明する。
【００９８】
また説明を簡単にするため、劣化線は直線で示すが、実際の劣化線は曲線となることもある。つまりテスト用の発光素子をエージングして劣化線を求めればよい。
【００９９】
図１３（Ａ）に示すグラフは、一定の輝度で発光している場合の時間に対する、発光素子へ供給する信号電流を示し、初期電流Ｉ０は発光素子が所定の輝度を得るためのｔ＝０における信号電流である。すなわち初期電流Ｉ０は、発光素子の経時劣化前の信号電流値である。そして発光素子は、経時劣化が生じるため、劣化線ＡやＢのように、所定の輝度を得るための信号電流は、時間と共に増加していく。
【０１００】
なお実際のパネルには多数の発光素子が配置されており、発光素子の実際の点灯時間等に起因して、それぞれ劣化状態が異なってくる。そのため、各画素の発光素子の劣化状況に合わせた大きさの信号電流を用いて設定する必要がある。すなわち、各画素の発光素子の劣化に応じた大きさの信号電流を画素（駆動用電流源）へ出力する必要がある。
【０１０１】
そこで、各画素の劣化の状態に合わせるため、ある範囲内の信号電流を大きさに応じて分割して、劣化に合わせた大きさの信号電流を設定する場合を考える。なお分割する間隔は、細かくなるにつれ、表示性能、すなわち補正の精度は向上するが、人間の目が認識できる範囲、例えば６ｂｉｔ、すなわち６４個に分割する場合を想定して説明するが、本発明はこれに限定されない。
【０１０２】
このとき、第１の電流源は、基準となる一定の電流を画素へ出力し、第２の電流源は、６４通り（６ビット）の信号電流を画素へ供給する能力を有する必要がある。そのため、第２の電流源は、６つの電流源を有し、６つの電流源はそれぞれ供給する電流値は、Ｉ、２Ｉ、４Ｉ、８Ｉ、１６Ｉ、３２Ｉ、とするとよい。例えば電流源として機能するトランジスタのＬ／Ｗ比を１：２：４：８：１６：３２となるように設計しておけばよい。
【０１０３】
なお図１３において、劣化線は発光素子の数と同数求められるはずだが、便宜上、劣化線Ａで示すような劣化状態が最小なものと、劣化線Ｂで示すような劣化状態が最大なもののみ示す。
【０１０４】
このような劣化線Ａ及びＢにおいて、例えば劣化線Ａを基準線とする。リファレンス用電源に相当する第１の電流源により、劣化線Ａに基づく信号電流を画素へ出力する。すなわち第１の電流源に設定される信号電流は、発光素子の経時劣化、つまり時間に応じて変化する。
【０１０５】
そして、劣化が最小である発光素子Ａの信号電流ＩＡと、劣化状態が最大となる発光素子Ｂの信号電流ＩＢとの間（図中の分割する範囲。基準線（劣化線Ａ）と劣化線Ｂとの差に相当）を６４個に分割する。つまり、第２の電流源は、この分割する範囲を６４個に分割した６ｂｉｔ分の信号電流を供給できるように設定する。
【０１０６】
そして、ある画素が選択され、当該画素が有する発光素子の劣化に応じた補正信号が作成されると、第２の電流源は補正信号に基づき、補正された信号電流を画素へ供給するように設定される。このとき、第２の電流源は６ｂｉｔ分の信号電流を設定できる。
【０１０７】
このようにして、各画素の劣化状態に応じて、それに見合った大きさの電流を各画素の駆動用電流源が発光素子に供給する。各画素の駆動用電流源の電流の大きさは、別の電流源から駆動用電流源に電流を供給することにより、設定される。よって、各画素の駆動用電流源の大きさを設定するために、駆動用電流源に電流を供給する電流源の電流の大きさを、各画素の劣化状態に応じた大きさするにする必要がある。その電流源として、第１の電流源と第２の電流源とを用いることができる。そして、第１の電流源は、全画素で同じ量の電流を駆動用電流源に出力し、第２の電流源は、各画素の劣化状態に応じた大きさの電流を駆動用電流源に出力する。第１の電流源と第２の電流源とは並列に接続されているので、各画素の駆動用電流源には、第１の電流源と第２の電流源との和の電流が供給される。
【０１０８】
図１３（Ａ）では、時間と共に、基準線（劣化線Ａ）の電流が発光素子の劣化に合わせて増加するので、分割する範囲が最小限となり、すなわち経時劣化にともなう分割する範囲が拡大されにくいため、補正の精度、すなわち表示性能の向上が期待される。
【０１０９】
次に図１３（Ｂ）に示す補正方法であって、例えば、基準線を初期電流Ｉ０とする場合を説明する。
【０１１０】
図１３（Ｂ）が、（Ａ）と異なる点は、基準線を発光素子の経時劣化による劣化線ではなく、時間によらない一定の初期電流とする。そしてリファレンス用電流源である第１の電流源により初期電流が設定されている。すなわち第１の電流源は、発光素子の劣化を考慮せず、一定の電流値（初期電流でなくともよい）を供給する機能を有すればよい。
【０１１１】
そして第２の電流源により、経時劣化（劣化線Ａ〜Ｂの劣化）を考慮した信号電流が設定される。すなわち第２の電流源は、基準線と、劣化線Ａ又は劣化線Ｂとのそれぞれの差分である（ＩＡ−Ｉ０）や（ＩＢ−Ｉ０）を設定する。よって図１３（Ｂ）において、分割する範囲は、当該発光素子の劣化線と基準線との差分（図中の分割する範囲）となり、これを６４個に分割する。
【０１１２】
次に図１３（Ｃ）に示す補正方法であって、発光素子の劣化に伴って、基準線を矩形状に変化させる場合を説明する。
【０１１３】
図１３（Ｃ）が、（Ａ）（Ｂ）と異なる点は、基準線を矩形にしている点である。そして第１の電流源により、当該基準線となるように信号電流を設定する。基準線の矩形の間隔は、経時劣化がある程度、進んだときに、一段上げればよく、劣化線Ａ以下の範囲で設定することができる。
【０１１４】
そして第２の電流源により、経時劣化（劣化線Ａ〜Ｂの劣化）を考慮した信号電流が設定される。すなわち第２の電流源は、当該基準線と、劣化線Ａ又は劣化線Ｂとのそれぞれの差分を設定する。
【０１１５】
図１３（Ｃ）のように、基準線を矩形状なるように設定すると、（Ｂ）と比べて、経時劣化にともなって、複数個に分割する範囲が拡大されず、補正の精度、すなわち表示性能の向上が期待される。
【０１１６】
なお図１３では、基準線の信号電流を設定するリファレンス用電流源が、劣化範囲の下限をどのように設定するかを説明したが、劣化範囲の上限の設定も同様に多数ある。以下、図１４を用いて上限を設定する例を説明する。
【０１１７】
図１４（Ａ）に示すように、基準線を劣化線Ｂとし、分割する範囲の上限を設定する。そして図１０（Ａ）と同様に、第１の電流源により劣化線Ｂに基づく信号電流を設定する。また第２の電流源により、劣化線に基づく信号電流を設定する。その後の分割の仕方や、発光素子への設定方法は図１０（Ａ）と同様である。
【０１１８】
図１４（Ｂ）では、基準線を一定電流Ｉ１とし、分割する範囲の上限を設定する。図１４（Ｂ）所定の電流値Ｉ１を基準線とし、第１の電流源により電流Ｉ１に設定されている点を特徴とする。すなわち第１の電流源は、発光素子の劣化を考慮せず、一定の電流値を供給する。そして図１３（Ｂ）と同様に、第１の電流源により基準線に基づく信号電流を設定する。また第２の電流源により、劣化線Ａ〜Ｂに基づく信号電流を設定する。その後の分割の仕方や、発光素子への設定方法は図１３（Ｂ）と同様に行うことができる。
【０１１９】
図１４（Ｃ）では、発光素子の劣化に伴って、基準線を矩形状に変化するように分割する範囲の上限を設定する。図１４（Ｃ）は、基準線を矩形にしている点を特徴とする。そして第１の電流源により、当該基準線となるように信号電流が設定される。基準線の矩形の間隔は、経時劣化がある程度、進んだときに、一段上げればよく、劣化線Ｂ以上の範囲に適宜設定すればよい。
【０１２０】
そして第２の電流源により、経時劣化（劣化線Ａ〜Ｂの劣化）を考慮した信号電流が設定される。すなわち第２の電流源は、当該基準線と、劣化線Ａ又は劣化線Ｂとのそれぞれの差分を設定する。
【０１２１】
このように分割して補正することで、第１及び第２の電流源の負担を軽減し、且つ人間の目に認識できる範囲内で発光素子の劣化を補正することができる。なお６ｂｉｔで説明したが、表示装置の用途や仕様に応じて、分割数は適宜設定すればよい。
【０１２２】
またさらに、上述のように分割して補正しても表示が粗くなる場合や、分割する間隔を大まかにする場合は、ビデオ信号を制御して正しい輝度に補正してもよい。例えば、補正した電流値が大きすぎるとき、その分ビデオ信号を小さくし、反対に補正した電流値が小さすぎるとき、その分ビデオ信号を大きくすればよい。
【０１２３】
以上のように本発明における電流値（信号電流）の補正は、図１３を用いて劣化範囲の下限の設定方法を、図１４を用いて劣化範囲の上限の設定方法を説明したが、劣化範囲の下限と、上限の設定方法をどのように組み合わせてもよい。
（実施の形態４）
本実施の形態では、表示装置の全体について図４を用いて説明する。
【０１２４】
図４に示す表示装置は、信号線と走査線との交差部にそれぞれ設けられた発光素子と、前記発光素子へ補正された信号電流を供給する、つまり駆動するための駆動用電流源とを有する画素部４００、走査線を順次選択する、つまり駆動するための走査線駆動回路４０１、シフトレジスタ４０２、第１のラッチ回路４０３、及び第２のラッチ回路４０４を有する。そして信号線へビデオ信号を入力するため、つまり駆動するための信号線駆動回路４０５、少なくともリファレンス用電流源４０６及び補正用電流源４０７のいずれかを有する信号供給源４０８、シフトレジスタ４０９、第１のラッチ回路４１０、及び第２のラッチ回路４１１を有する制御手段４１２、補正データ格納部４１３、及び補正回路４１４を有する計数手段４１５、少なくとも不揮発性メモリ４１６を有し、さらに揮発性メモリ４１７を有する記憶手段４１８とを有する。なお、信号線駆動回路や制御手段が有するシフトレジスタの代わりにデコーダを用いてもよい。
【０１２５】
また図５には、信号供給源４０８の具体例を示す。信号供給源４０８は、複数の電流源を有するリファレンス用電流源４０６と、複数の電流源を有する補正用電流源４０７を有する。これら電流源４０６、４０７はそれぞれ電流線を介して基準電流源５０９に接続されている。
【０１２６】
なお基準電流源５０９の具体例を図１９に示す。リファレンス用電流源４０６に接続される基準電流源５０９ａは同一極性を有するトランジスタがカレントミラー回路をなしている。例えば、ｐチャネル型のトランジスタＴｒ８０、Ｔｒ８１がカレントミラー回路をなすように接続する。
【０１２７】
また補正用電流源４０７に接続される基準電流源５０９ｂは、同一極性を有するトランジスタのゲート電極を接続し、少なくとも１つのトランジスタとカレントミラー回路を構成するトランジスタを有している。例えば、ｐチャネル型のトランジスタＴｒ８２、Ｔｒ８３、Ｔｒ８４を有し、Ｔｒ８４とカレントミラー回路を構成するｐチャネル型のトランジスタＴｒ８５を有する。特にＴｒ８２〜Ｔｒ８４のように複数のトランジスタを有し、トランジスタのＷ／Ｌ比を変えることにより、複数の電流値を供給することができる。
【０１２８】
また制御手段４１２は、クロック信号（S-CLK）、スタートパルス（S-SP）、クロック反転信号（S-CLKb）が入力されるシフトレジスタ４０９、補正用ビデオ信号（Video  Data）が入力される第１のラッチ回路４１０、ラッチパルスが入力される第２のラッチ回路４１１を有する。
【０１２９】
制御手段４１２から複数の補正用電流源へ補正用ビデオ信号が入力されると、基準電源線から電流が供給され補正用ビデオ信号に基づき信号電流が設定される。また同様に、リファレンス用電流源４０６により、補正された信号電流が設定される。
【０１３０】
このような補正された信号電流が信号供給源４０８から電流線を介して各画素が有する駆動用電流源へ供給される。そして信号線から供給されるビデオ信号がオンとなると、発光素子は該補正された信号電流に基づき発光する。
【０１３１】
次に、このような構成を有する表示装置の具体的な動作について説明する。
【０１３２】
まず信号線駆動回路が有するシフトレジスタ、第１のラッチ回路及び第２のラッチ回路の動作を説明する。シフトレジスタは、フリップフロップ回路（FF）等を複数列用いて構成され、クロック信号（S-CLK）、スタートパルス（S-SP）、クロック反転信号（S-CLKb）が入力される。これらの信号のタイミングに従って、順次サンプリングパルスが出力される。
【０１３３】
シフトレジスタより出力されたサンプリングパルスは、第１のラッチ回路に入力される。第１のラッチ回路には、補正信号用ビデオ信号が入力されており、サンプリングパルスが入力されるタイミングに従って、各列でビデオ信号を保持していく。
【０１３４】
第１のラッチ回路において、最終列までビデオ信号の保持が完了すると、水平帰線期間中に、第２のラッチ回路にラッチパルスが入力され、第１のラッチ回路に保持されていたビデオ信号は、一斉に第２のラッチ回路に転送される。すると、第２のラッチ回路に保持されたビデオ信号は、１行分が同時に画素部に入力される。
【０１３５】
この第２のラッチ回路に保持されたビデオ信号が画素部へ入力されている間、シフトレジスタでは再びサンプリングパルスが出力される。以後この動作を繰り返し、１フレーム分のビデオ信号の処理を行う。なお、信号線駆動回路はデジタル信号をアナログ信号に変換する手段（Ｄ／Ａ変換装置）を持つ場合もある。
【０１３６】
以上の動作は、制御手段が有するシフトレジスタ、第１のラッチ回路及び第２のラッチ回路においても同様であり、第１のラッチ回路へは補正用ビデオ信号が入力される。なお、補正用ビデオ信号は記憶手段及び計数手段に基づき決定される。
【０１３７】
記憶手段は少なくとも不揮発性メモリを有し、不揮発性メモリには、発光素子の劣化データが記録される。すなわち劣化データは、表示装置の電源をオフとしても消去されない。また記憶手段が有しうる揮発性メモリには、表示情報が記録される。
【０１３８】
信号供給源は信号線毎にリファレンス用電流源、及び補正用電流源を有し、信号供給源に劣化分を考慮した補正された信号電流が設定される。なお本発明において、信号線毎にリファレンス用電流源、及び補正用電流源を有する必要はなく、電流源は単数でも、複数でも構わない。
【０１３９】
計数手段は補正回路及び補正データ格納部を有する。補正回路は、発光素子の点灯時間を蓄積するカウンター回路を有し、発光素子の点灯時間を蓄積している。カウンター回路により点灯時間の蓄積は、信号線駆動回路から各発光素子へ入力されるビデオ信号の情報により点灯時間を求めている。補正データ格納部では、蓄積された発光素子の点灯時間、それに基づく劣化状態及び基礎データから見積もられた補正信号に関する情報を記録、格納している。
【０１４０】
そして不揮発性メモリに格納されている劣化データと、カウンター回路が算出する発光素子の点灯時間とに基づき、信号供給源に補正信号が入力される。
【０１４１】
また信号供給源のリファレンス用電流源、及び補正用電流源に基づき、補正された信号電流を作成する。そして、制御手段が有する第１のラッチ回路に順次入力され、第２のラッチ回路へ一斉に転送される補正信号に基づき、作成された補正電流が各駆動用電流源へ供給される。
【０１４２】
表示装置の駆動時には、走査線駆動回路により、各走査線へ順にＨｉｇｈの信号が入力され、各発光素子、すなわち各画素が選択される。この選択される画素において、電流線毎に補正された信号電流が供給される。
【０１４３】
以上のように発光素子の劣化に応じた信号電流を設定し、供給することにより、劣化に伴う輝度低下を防ぐことができ、画像表示の品位の低下を防止することができる。
【０１４４】
なお実施の形態に示す表示装置は一例であり、本発明はこの構成、すなわち各回路の構造や配置に限定されるものではない。例えば、信号線駆動回路と信号供給源等の回路とを画素に対して同一方向に設けても構わない。またさらに、信号線駆動回路が有するシフトレジスタと、制御手段が有するシフトレジスタとを共有して、駆動回路が占める面積を削減してもよい。
【０１４５】
また実施の形態において説明した制御手段が有するシフトレジスタ、第１のラッチ回路、及び第２のラッチ回路、及び電流源の具体的な構成としては、特願２００１−３３３４７０、特願２００１−３３２９０４、特願２００１−３３５９１７、特願２００１−３３５９１８、特願２００１−３３７２０８を参照することができる。またさらに、特願２００１−３１６１１６、特願２００２−５９９０３に示すように、信号供給源等が有する信号電流を設定するための電流源と、信号線との間に切り換え回路を設けてもよい。その結果、電流源が有するトランジスタが劣化したり、ばらつきを有する場合であっても、電流源と信号線とが一定期間毎に切り換わるため、より均一な表示が可能となる。
【０１４６】
（実施の形態５）
本実施の形態では、制御手段が信号供給源を兼ねる構成を有する表示装置の一例について、図６を用いて説明する。
【０１４７】
図６において、信号供給源が有するリファレンス用電流源、及び補正用電流源と、第１のラッチ回路５０２、又は第２のラッチ回路５０３が有する電流源とを共有することを特徴とする。つまり図６が図４と異なる点は、ラッチ回路の電流源が信号供給源４０８の電流源を兼ねた制御手段５００が設けられている点である。
【０１４８】
また図７には、第１のラッチ回路５０２、第２のラッチ回路５０３を有する制御手段５００の具体例を示す。第１のラッチ回路５０２が有する複数の電流源は、シフトレジスタ４０９により選択されると、基準電流源５０９から電流が供給される。このとき第１のラッチ回路へは、発光素子の劣化に応じた補正信号用ビデオ信号が入力される。そして各電流原に接続されるスイッチＳＷ８０５がオンとなると、第２のラッチ回路が有する電流源に該補正された電流が供給される。そしてＳＷ８０５とインバータを介して接続されたＳＷ８０６がオンとなると、補正された電流が電流線Ｄｍ〜Ｄ（ｍ＋２）を介して各画素が有する駆動用電流源１３へ供給される。そして信号線から供給されるビデオ信号がオンとなると、発光素子は該補正された信号電流に基づき発光する。
【０１４９】
本実施の形態における基準電流源５０９の具体的な構成は図１９、特に基準電流源５０９ｂを参照すればよい。
【０１５０】
なお本発明において、信号線毎にリファレンス用電流源、及び補正用電流源を有する必要はない。そのため第２のラッチ回路が有する電流源は各信号線に一つでも、複数でも構わない。
【０１５１】
このように電流源を共有することにより、発光素子の劣化に伴う輝度低下を防ぐことができ、画像表示の品位の低下を防止することができることに加えて、電流源に係るコストが低下し、回路部が占有する面積が小さくなるため、表示装置の狭額縁化を達成することができる。
【０１５２】
なお実施の形態に示す表示装置は一例であり、本発明はこの構成、すなわち各回路の構造や配置に限定されるものではない。例えば、信号線駆動回路と信号供給源等の回路とを画素に対して同一方向に設けても構わない。またさらに、信号線駆動回路が有するシフトレジスタと、制御手段が有するシフトレジスタとを共有して、駆動回路が占める面積を削減してもよい。
【０１５３】
また実施の形態において説明した制御手段が有するシフトレジスタ、第１のラッチ回路、第２のラッチ回路、及び電流源の具体的な構成としては、特願２００１−３３３４７０、特願２００１−３３２９０４、特願２００１−３３５９１７、特願２００１−３３５９１８、特願２００１−３３７２０８を参照することができる。またさらに、特願２００１−３１６１１６、特願２００２−５９９０３に示すように、信号供給源等が有する信号電流を設定するための電流源と、信号線との間に切り換え回路を設けてもよい。その結果、電流源が有するトランジスタが劣化したり、ばらつきを有する場合であっても、電流源と信号線とが一定期間毎に切り換わるため、より均一な表示が可能となる。
【０１５４】
（実施の形態６）
本実施の形態では、制御手段のラッチ回路において、信号線ごとに一対の電流源を設け、一対の電流源が信号供給源を兼ねる構成、つまり信号供給源がなく、制御手段のラッチ回路が単数で済む構成を有する表示装置の一例について、図８を用いて説明する。
【０１５５】
図８に示す構成は、図４、図６と異なり、シフトレジスタとラッチ回路６０２を有する制御手段６００を有することを特徴とする。そしてラッチ回路６０２において、信号線毎に一対の電流源を設けたことより、図４、図６と比較して、単数のラッチ回路ですむ。またさらに一対の電流源が、リファレンス用電流源、及び補正用電流源の信号供給源を兼ねるため、信号供給源を設けずにすむ。
【０１５６】
また図９には、ラッチ回路６０２を有する制御手段６００の具体例を示す。複数の一対の電流源を有するラッチ回路６０２へ補正信号用ビデオ信号が入力される。該補正信号用ビデオ信号に基づき、一対の電流源のいずれかに基準電流源５０９から電流が供給される。このとき該補正信号用ビデオ信号に基づいて供給される電流は補正されている。
【０１５７】
そして一対の電流源の一方の電流源（第１の電流源）に補正された信号電流が供給されている間（設定期間）、他方の電流源（第２の電流源）から補正された信号電流が、電流線Ｄｍ〜Ｄ（ｍ＋１）を介して駆動用電流源へ供給される（書き込み期間）。このような設定期間と書き込み期間の切り替えは、第１の電流源及び第２の電流源と、シフトレジスタの間に設けられたスイッチＳＷ９０５、ＳＷ９０６により行われる。また第１の電流源及び第２の電流源と、駆動用電流源との間にはスイッチＳＷ９０７が設けられており、どちらの電流源から補正された信号電流を駆動用電流源に供給するか、つまりどちらの電流源を書き込み期間とするかを制御している。
【０１５８】
以上のような構成により、発光素子の劣化に伴う輝度低下を防ぐことができ、画像表示の品位の低下を防止することができることに加え、回路部が占有する面積が小さくなるため、表示装置の狭額縁化を達成することができる。
【０１５９】
なお実施の形態に示す表示装置は一例であり、本発明はこの構成、すなわち各回路の構造や配置に限定されるものではない。例えば、信号線駆動回路と信号供給源等の回路とを画素に対して同一方向に設けても構わない。またさらに、信号線駆動回路が有するシフトレジスタと、信号供給源が有するシフトレジスタとを共有して、駆動回路が占める面積を削減してもよい。
【０１６０】
しかし、シフトレジスタをビデオ信号用と、補正された電流値を設定する用として設けるほうが好ましい。なぜなら、ビデオ信号線用のシフトレジスタには１／６０程度の高速周波数で駆動することが要求されるが、電流値を設定する用のシフトレジスタには１／２０程度の周波数で駆動し、ある程度時間をかけて正確に補正された電流値を設定することが要求されるからである。
【０１６１】
また実施の形態において説明した制御手段が有するシフトレジスタ、及び一対の電流源の具体的な構成としては、特願２００１−３３３４７０、特願２００１−３３２９０４、特願２００１−３３５９１７、特願２００１−３３５９１８、特願２００１−３３７２０８を参照することができる。またさらに、特願２００１−３１６１１６、特願２００２−５９９０３に示すように、信号供給源等が有する信号電流を設定するための電流源と、信号線との間に切り換え回路を設けてもよい。その結果、電流源が有するトランジスタが劣化したり、ばらつきを有する場合であっても、電流源と信号線とが一定期間毎に切り換わるため、より均一な表示が可能となる。
【０１６２】
（実施の形態７）
本実施の形態では、補正された信号電流を設定するタイミングについて、図１０を用いて説明する。
【０１６３】
図１０（Ａ）には、１フレーム期間を３つのサブフレーム期間（ＳＦ１〜ＳＦ３）に分割する場合のタイミングチャートを示す。サブフレーム期間はそれぞれ、走査線が順次選択され、信号線からビデオ信号が入力される書き込み期間（アドレス期間）Ｔａ１、Ｔａ２、Ｔａ３と、当該ビデオ信号に基づき表示か行われる表示期間（点灯期間）Ｔｓ１、Ｔｓ２、Ｔｓ３とを有する。ここでは説明のため、書き込み期間を各サブフレーム期間の最初に設けているが、この構成に限定されずサブフレーム期間のいずれに設けてもよい。
【０１６４】
図１０（Ｂ）、（Ｃ）には、補正された信号電流を設定する設定信号の波形を示す。図１０（Ｂ）をみると、書き込み期間Ｔａ１の終了時からＴａ２の開始時に設定信号がＨｉｇｈとなっている。すなわち、書き込みが行われていないときに設定信号が入力され、補正された信号電流を設定する。また図１０（Ｃ）に示すように、各サブフレーム期間において書き込みが行われていないときに、設定信号をＨｉｇｈとしてもよい。この場合、設定時間を長くとれるため好ましい。
【０１６５】
また書き込みが行われていない期間は、画素へビデオ信号を書き込むために信号線駆動回路が動作していない期間であるため、信号線駆動回路のシフトレジスタ及びラッチ回路と、制御手段のシフトレジスタ及びラッチ回路とを共有することもできる。その結果、駆動回路面積が削減され、狭額縁化を達成することができる。
【０１６６】
また逆を言うと、信号線駆動回路及び制御手段にそれぞれシフトレジスタやラッチ回路を設ける場合、補正された信号電流の設定はいつでも行うことができる。但し、補正された信号電流を駆動用電流源に書き込むタイミングは、書き込み期間以外に設ける。
【０１６７】
以上、補正された信号電流を設定するタイミングについて説明したが、本発明は、フルフレーム期間で駆動する場合、更に細かく分割したサブフレーム期間であって消去期間を設けて駆動する場合でも適応することができる。
【０１６８】
またさらに、設定する順序はランダムでもよく、制御手段のラッチ回路が選択した画素のみに設定することもできる。
【０１６９】
このように設定信号を入力するタイミングは適宜設計することができる。そして、設定時間を長く設けることにより、補正された信号電流、すなわち電流値を正確に設定できることは言うまでもない。
【０１７０】
（実施の形態８）
本発明の表示装置を用いた電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機又は電子書籍等）、記録媒体を備えた画像再生装置（具体的にはDigital Versatile Disc（ＤＶＤ）等の記録媒体を再生し、その画像を表示しうるディスプレイを備えた装置）などが挙げられる。特に、斜め方向から画面を見る機会が多い携帯情報端末は、視野角の広さが重要視されているため、表示装置を用いることが望ましい。それら電子機器の具体例を図１７に示す。
【０１７１】
図１７（Ａ）は表示装置であり、筐体２００１、支持台２００２、表示部２００３、スピーカー部２００４、ビデオ入力端子２００５等を含む。本発明の表示装置は表示部２００３に用いることができる。また本発明により、図１７（Ａ）に示す表示装置が完成されている。表示装置は自発光型であるためバックライトが必要なく、液晶ディスプレイよりも薄い表示部とすることができる。なお、表示装置は、パーソナルコンピュータ用、ＴＶ放送受信用、広告表示用などの全ての情報表示用表示装置が含まれる。
【０１７２】
図１７（Ｂ）はデジタルスチルカメラであり、本体２１０１、表示部２１０２、受像部２１０３、操作キー２１０４、外部接続ポート２１０５、シャッター２１０６等を含む。本発明の表示装置は表示部２１０２に用いることができる。
【０１７３】
図１７（Ｃ）はノート型パーソナルコンピュータであり、本体２２０１、筐体２２０２、表示部２２０３、キーボード２２０４、外部接続ポート２２０５、ポインティングマウス２２０６等を含む。本発明の表示装置は表示部２２０３に用いることができる。
【０１７４】
図１７（Ｄ）はモバイルコンピュータであり、本体２３０１、表示部２３０２、スイッチ２３０３、操作キー２３０４、赤外線ポート２３０５等を含む。本発明の表示装置は表示部２３０２に用いることができる。
【０１７５】
図１７（Ｅ）は記録媒体を備えた携帯型の画像再生装置（具体的にはＤＶＤ再生装置）であり、本体２４０１、筐体２４０２、表示部Ａ２４０３、表示部Ｂ２４０４、記録媒体（ＤＶＤ等）読み込み部２４０５、操作キー２４０６、スピーカー部２４０７等を含む。表示部Ａ２４０３は主として画像情報を表示し、表示部Ｂ２４０４は主として文字情報を表示するが、本発明の表示装置はこれら表示部Ａ、Ｂ２４０３、２４０４に用いることができる。なお、記録媒体を備えた画像再生装置には家庭用ゲーム機器なども含まれる。
【０１７６】
図１７（Ｆ）はゴーグル型ディスプレイ（ヘッドマウントディスプレイ）であり、本体２５０１、表示部２５０２、アーム部２５０３を含む。本発明の表示装置は表示部２５０２に用いることができる。
【０１７７】
図１７（Ｇ）はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９、接眼部２６１０等を含む。本発明の表示装置は表示部２６０２に用いることができる。
【０１７８】
図１７（Ｈ）は携帯電話機であり、本体２７０１、筐体２７０２、表示部２７０３、音声入力部２７０４、音声出力部２７０５、操作キー２７０６、外部接続ポート２７０７、アンテナ２７０８等を含む。本発明の表示装置は表示部２７０３に用いることができる。なお、表示部２７０３は黒色の背景に白色の文字を表示することで携帯電話の消費電流を抑えることができる。
【０１７９】
また、表示装置は発光している部分が電力を消費するため、発光部分が極力少なくなるように情報を表示することが望ましい。従って、携帯情報端末、特に携帯電話や音響再生装置のような文字情報を主とする表示部に表示装置を用いる場合には、非発光部分を背景として文字情報を発光部分で形成するように駆動することが望ましい。
【図面の簡単な説明】
【０１８０】
【図１】本発明の表示装置を示すブロック図。
【図２】本発明の画素を示す等価回路図。
【図３】本発明の画素を示す等価回路図。
【図４】本発明の表示装置を示すブロック図。
【図５】本発明の表示装置を示すブロック図。
【図６】本発明の表示装置を示すブロック図。
【図７】本発明の表示装置を示すブロック図。
【図８】本発明の表示装置を示すブロック図。
【図９】本発明の表示装置を示すブロック図。
【図１０】本発明の表示装置のタイミングチャートを示す図。
【図１１】本発明の基礎データ測定を示す図。
【図１２】本発明の表示装置を示すブロック図。
【図１３】本発明の発光素子の劣化補正を示す図。
【図１４】本発明の発光素子の劣化補正を示す図。
【図１５】発光素子の劣化状態を示す図。
【図１６】本発明の発光素子の劣化補正を示す図。
【図１７】本発明の電子機器を示す図。
【図１８】発光素子を有する表示装置を示す図。
【図１９】本発明の基準電流源を示す図。
【図１】
2005062859.tif 000003
【図２】
2005062859.tif 000004
【図３】
2005062859.tif 000005
【図４】
2005062859.tif 000006
【図５】
2005062859.tif 000007
【図６】
2005062859.tif 000008
【図７】
2005062859.tif 000009
【図８】
2005062859.tif 000010
【図９】
2005062859.tif 000011
【図１０】
2005062859.tif 000012
【図１１】
2005062859.tif 000013
【図１２】
2005062859.tif 000014
【図１３】
2005062859.tif 000015
【図１４】
2005062859.tif 000016
【図１５】
2005062859.tif 000017
【図１６】
2005062859.tif 000018
【図１７】
2005062859.tif 000019
【図１８】
2005062859.tif 000020
【図１９】
2005062859.tif 000021